(57)【要約】【課題】１つの塩素系ガス生成装置で複数の部屋を対象に除菌脱臭することができ、各部屋の塩素系ガス濃度を制御し、塩素系ガス生成装置の運転効率を高められる空間除菌脱臭システムを提供する。【解決手段】複数のエリアを除菌脱臭の対象とする空間除菌脱臭システムであって、塩素系ガスを生成し、供給する塩素系ガス供給装置１と、塩素系ガス供給装置１に接続されたダクト２を有し、ダクト２は分岐された後、それぞれ対象となるエリアに接続され、ダクト２の分岐箇所には、調整弁４を設け、制御手段１０によって、分岐後のダクト（ダクト２１、分配ダクト２２）に流入する塩素系ガスの分配量を調整するように調整弁４を制御するので、効率的に対象空間の除菌、脱臭を行うことができる。【選択図】図１
2019115454.tif 000002
【特許請求の範囲】
【請求項１】
複数のエリアを除菌脱臭の対象とする空間除菌脱臭システムであって、
塩素系ガスを生成し、供給する塩素系ガス供給装置と、
前記塩素系ガス供給装置に接続されたダクトを有し、
前記ダクトは分岐された後、それぞれ対象となるエリアに接続され、
前記ダクトの分岐箇所には、調整弁を設け、
分岐後のダクトに流入する塩素系ガスの分配量を調整するように前記調整弁を制御する制御手段を設けた空間除菌脱臭システム。
【請求項２】
前記エリアのうち、２つのエリア（第一エリアと第二エリア）に室内の塩素系ガス濃度を計測する第一濃度計、第二濃度計を設置し、
前記第一濃度計、前記第二濃度計は、検出した前記第一エリアと前記第二エリアの塩素系ガス濃度を前記制御手段に伝送し、
前記制御手段は、前記塩素系ガス濃度に基づいて前記調整弁の動作を制御することを特徴とする請求項１記載の空間除菌脱臭システム。
【請求項３】
前記第一エリアと前記第二エリアを連通するように設けた連通ダクトと、
前記連通ダクトの開閉を行う連通弁と、
前記連通ダクト内の送風を行う送風装置を備え、
前記送風装置は、前記連通ダクト内の送風方向を変更できるものとし、
前記制御手段は、前記塩素系ガス濃度に基づいて前記調整弁、前記連通弁、前記送風装置の動作を制御することを特徴とする請求項２記載の空間除菌脱臭システム。
【請求項４】
前記第一エリアと前記塩素系ガス供給装置の吸い込み側を接続する第一循環ダクトと、
前記第一循環ダクトの開閉を行う第一循環弁と、
前記第二エリアと前記塩素系ガス供給装置の吸い込み側を接続する第二循環ダクトと、
前記第二循環ダクトの開閉を行う第二循環弁を備え、
前記制御手段は、前記塩素系ガス濃度に基づいて前記調整弁、前記連通弁、前記送風装置、前記第一循環弁、および前記第二循環弁の動作を制御することを特徴とする請求項２又は３に記載の空間除菌脱臭システム。
【請求項５】
前記第一エリアに第一排気装置を設け、
前記第二エリアに第二排気装置を設け、
前記制御手段は、前記塩素系ガス濃度に基づいて前記調整弁、前記連通弁、前記送風装置、前記第一循環弁、前記第二循環弁、第一排気装置、第二排気装置の動作を制御することを特徴とする請求項２〜４いずれかひとつに記載の空間除菌脱臭システム。
【発明の詳細な説明】
【技術分野】
【０００１】
本発明は、塩素系ガスで空気中の細菌、真菌、ウイルス、臭いなどの除去を行う空間除菌脱臭システムに関するものである。
【背景技術】
【０００２】
従来のこの種の空間除菌脱臭システムは、以下のようになっていた。
【０００３】
例えば、図５に示すように、塩素系化合物の水溶液を収容したタンク１０１と、この水溶液を気化させる気化器１０２と、この気化器で気化した塩素系ガスを装置本体１０３の外部に送出するファン１０４から構成されており、上記装置を設置した室内等の空間に塩素系ガスを放出し、その部屋の空間を脱臭や除菌、殺菌等が行えるものであった。
【先行技術文献】
【特許文献】
【０００４】
【特許文献１】特開２００７−１４５６５４号公報
【発明の概要】
【発明が解決しようとする課題】
【０００５】
この種の空間除菌脱臭装置においては、設置スペースの削減や装置１台当たりの対応面積、そして消費電力低減などの運転効率を高めることが求められる。しかしながら、従来の構成では、壁で区切られた複数の部屋を対象にする場合は、対象部屋数と同じ数の装置を設置する必要があり、設置スペースや運転効率に課題を有している。そこで、本発明は上記課題を解決するものであり、１つの塩素系ガス生成装置で同時に複数の部屋を対象に除菌脱臭するシステムを提供することを目的とする。
【課題を解決するための手段】
【０００６】
そして、本発明の空間除菌脱臭システムは、塩素系ガスを生成する供給装置の吹出口がダクトに接続され、前記ダクトは壁で区切られた第一エリアに接続し、前記供給装置と前記第一エリアの間に調整弁を備えて前記ダクトを分岐し、前記調整弁から壁で区切られた第二エリアに分配ダクトが接続され、ファンの送風によって塩素系ガスが前記ダクトを通して前記第一エリアと前記第二エリアに供給される。また、前記第一エリアと前記第二エリアの空気は連通弁および送風装置を介して移動でき、前記第一エリアと前記第二エリアのそれぞれには室内の塩素系ガス濃度を計測する濃度計が設置され、各エリアの濃度が制御手段に伝送され、前記調整弁、連通弁、および送風装置を動作することで、前記第一エリアと前記第二エリアの塩素系ガス濃度をコントロールできるものである。これにより所期の目的を達成するものである。
【発明の効果】
【０００７】
上記構成により、１つの塩素系ガス生成装置で複数の部屋を対象に除菌脱臭することができる。尚、除去率を高めたい場合、あるいは芽胞菌などの耐久性の強い菌やニオイ成分を除去する場合は、高濃度の塩素系ガスを含んだ空気を放出し、対象空間中の塩素系ガス濃度を規定値まで高めて一定時間をかけて除去する。この場合、高濃度の塩素系ガスを含んだ空気は人体への健康影響を考慮して無人エリアで夜間などに、ニオイ成分や菌を除去した後に一定時間掛けて対象空間から排気するが、例えば第一エリアに塩素系ガスを供給し、第一エリアの細菌、真菌、ウイルス、臭いなどを除去した後、連通弁を開いて第一エリアの塩素系ガスを第二エリアに送風することで、塩素系ガスの有効利用または排気効率が図れるなど運転効率を高めた空間除菌脱臭システムを提供できるものである。
【図面の簡単な説明】
【０００８】
【図１】第１の実施形態における空間除菌脱臭システムの構成を示す概要図
【図２】第２の実施形態における空間除菌脱臭システムの構成を示す概要図
【図３】第３の実施形態における空間除菌脱臭システムの構成を示す概要図
【図４】第４の実施形態における空間除菌脱臭システムの構成を示す概要図
【図５】従来の空間除菌脱臭装置の構成を示す概要図
【発明を実施するための形態】
【０００９】
本発明の請求項１にかかる空間除菌脱臭システムは、
複数のエリアを除菌脱臭の対象とする空間除菌脱臭システムであって、
塩素系ガスを生成し、供給する塩素系ガス供給装置と、前記塩素系ガス供給装置に接続されたダクトを有し、前記ダクトは分岐された後、それぞれ対象となるエリアに接続され、前記ダクトの分岐箇所には、調整弁を設け、分岐後のダクトに流入する塩素系ガスの分配量を調整するように前記調整弁を制御する制御手段を設けたものである。
【００１０】
これにより、１つの装置に対して複数の部屋を対象に除菌脱臭することができ、塩素系ガス供給装置の設置スペースを削減することができ、部屋内に装置を置く必要は無く動線確保や、複数の部屋を除菌脱臭する際に装置を移動して使用する煩わしさが無くなる。
【００１１】
また、前記エリアのうち、２つのエリア（第一エリアと第二エリア）に室内の塩素系ガス濃度を計測する第一濃度計、第二濃度計を設置し、前記第一濃度計、前記第二濃度計は、検出した前記第一エリアと前記第二エリアの塩素系ガス濃度を前記制御手段に伝送し、前記制御手段は、前記塩素系ガス濃度に基づいて前記調整弁の動作を制御するようにしてもよい。
【００１２】
また、前記第一エリアと前記第二エリアを連通するように設けた連通ダクトと、前記連通ダクトの開閉を行う連通弁と、前記連通ダクト内の送風を行う送風装置を備え、前記送風装置は、前記連通ダクト内の送風方向を変更できるものとし、前記制御手段は、前記塩素系ガス濃度に基づいて前記調整弁、前記連通弁、前記送風装置の動作を制御するものとしてもよい。
【００１３】
これにより、一方のエリアの濃度を意図的に高くして除菌脱臭した後、連通弁を開き、送風装置で濃度が高いエリアから濃度が低いエリアへ空気を送ることで、もう片方のエリアの除菌脱臭に塩素系ガスを有効利用することができる。
【００１４】
また、前記第一エリアと前記塩素系ガス供給装置の吸い込み側を接続する第一循環ダクトと、前記第一循環ダクトの開閉を行う第一循環弁と、前記第二エリアと前記塩素系ガス供給装置の吸い込み側を接続する第二循環ダクトと、前記第二循環ダクトの開閉を行う第二循環弁を備え、前記制御手段は、前記塩素系ガス濃度に基づいて前記調整弁、前記連通弁、前記送風装置、前記第一循環弁、および前記第二循環弁の動作を制御するものとしてもよい。
【００１５】
これにより、各エリアの空気は塩素系ガス供給装置へ戻すことができ、塩素系水溶液に浸漬するため、芽胞菌などの耐久性の強い菌やニオイ成分を除去することができる。
【００１６】
また、前記第一エリアに第一排気装置を設け、前記第二エリアに第二排気装置を設け、前記制御手段は、前記塩素系ガス濃度に基づいて前記調整弁、前記連通弁、前記送風装置、前記第一循環弁、前記第二循環弁、第一排気装置、第二排気装置の動作を制御するものとしてもよい。
【００１７】
これにより、各エリアの空気を排気することができ、各エリアの塩素系ガス濃度を下げることができる。ここで、特定の耐久性の強い菌やニオイ成分は対象エリア内の塩素系ガス濃度を規定値まで高めて一定時間をかけて除去する。この場合、高濃度の塩素系ガスを含んだ空気は人体への健康影響を考慮して無人エリアで実施され、菌を除去した後に一定時間掛けて対象空間から排気される。第一エリアも第二エリアも細菌、真菌、ウイルス、臭いなどを除去した後に塩素系ガスを排気する場合、第一濃度計、第二濃度計の値を監視しながら、送風装置の通風方向を塩素系ガス濃度の低い方向へ通風すれば、予め定めた濃度まで低下するまでの時間を短縮することができる。
【００１８】
尚、第一エリアで上記の高濃度除染作業が完了し、第二エリアへ順次移行する場合は、第一エリアの塩素系ガスを第二エリアに送風することで、塩素系ガスを有効利用し、供給装置の運転効率を高めることができる。この場合、第一エリアの塩素系ガス濃度は予め定めた濃度まで低下させることになるが、第一ガス濃度計の値がこの条件を満たした場合には送風装置、および連通弁を閉じて、第一エリアから第二エリアへの空気供給を停止する制御としてもよい。
【００１９】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して説明を省略している。さらに、本発明に直接には関係しない各部の詳細については重複を避けるために、各図面の説明は省略している。
（実施の形態１）
図１は、本発明の実施の形態における空間除菌脱臭システムの構成を示す概略図である。
【００２０】
本発明において、細菌、真菌、ウイルス、臭いなどの除去を対象とする空間は複数個所となっている。本実施の形態では、図１に示すように、第一エリア３と第二エリア５を対象としている。
【００２１】
塩素系ガス供給装置１の吹出口にはダクト２の上流側となる一端が接続されている。ダクト２は、下流側を分岐し、分岐した一方は第一エリア３に、他方は第二エリア５に接続されている。ここで、本実施の形態において、分岐後、第一エリア３と接続する部分をダクト２１とし、第二エリア５に接続する部分を分配ダクト２２と呼ぶ。
【００２２】
塩素系ガス供給装置１の構成は図示しないが、塩素系水溶液のトレーとその水溶液の気化装置を有している。塩素系ガス供給装置１は図示しない空調機に接続され、あるいは、空調機内部に設けられている。図１では、塩素系ガス供給装置１の吸込口に空調機からのダクトが接続されている。すなわち、空調機によって温度、場合によっては湿度も調整された空気が塩素系ガス供給装置１に供給される構成となっている。そして、空調機は、部屋（第一エリア３、第二エリア５）の冷暖房を行うとともに、塩素系ガス供給装置１で生成した塩素系ガスをダクト２を通して第一エリア３、第二エリア５に放出する。
【００２３】
ダクト２において、ダクト２１、分配ダクト２２の分岐部分には調整弁４が設けられている。この調整弁４の下流側に、第二エリア５とを結ぶ分配ダクト２２が接続されている。調整弁４は、塩素系ガス供給装置１で生成した塩素系ガスの行き先と放出量を図示しない制御手段で調整するものである。すなわち、ダクト２を流れる塩素系ガスは、調整弁４によってダクト２１と分配ダクト２２への流入する量の割合（分配量）を調整される。
【００２４】
第一エリア３、第二エリア５に放出された塩素系ガスはエリア内に付着、または浮遊す
る菌、ウイルス、ニオイ成分を化学結合により分解する。塩素系ガスは、化学的に安定な状態ではなく、空気中の酸素と結合することなどによって、時間経過とともに減衰していく。対象エリア内の除菌・脱臭を行うには、所定の塩素系ガス濃度の状態を所定の時間継続させることが必要となる。
【００２５】
このように本システムが備わった空調機を用いれば、調整弁４の操作によって、第一エリア３と第二エリア５に塩素系ガスを同時に供給することができるだけでなく、菌やニオイが気になる方のエリアに塩素系ガスを選択的に多く放出できる。また、場合によっては、どちらか一方のエリアにのみ塩素系ガスを放出することもできる。
【００２６】
例えば、再生医療施設の細胞培養室では、チェンジオーバーを行う際、部屋の完全な除菌が必要になる。チェンジオーバーとは、ある菌の細胞を培養した後、別の菌を培養する場合ことを言う。このチェンジオーバー時には、菌を除去するサニテーション作業としてアルコール消毒が行われている。この作業では、完全な消毒と省力化が求められる中、アルコール消毒では時間と手間が掛かるとともに、拭き残しや隙間等に残留する菌やウイルスが課題になっている。
【００２７】
本システムによれば、チェンジオーバーが必要な部屋を選択的に除染することができ、塩素系ガスによる菌の分解を利用するため、完全な消毒と省力化を図ることができる。
【００２８】
尚、ここでは細菌、真菌、ウイルス、臭いなどの除去対象エリアを２つに限定しているが、３つ以上のエリアを対象にする場合も同様である。
（実施の形態２）
次に、第２の実施の形態として、第一エリア３と第二エリア５における塩素系ガス濃度の制御について図２を参照しながら説明する。第２の実施の形態は、第１の実施の形態における空間除菌脱臭システムに加え、図２に示すように、第一エリア３と第二エリア５は、連通ダクト２３によって連通している。連通ダクト２３は、連通弁６および送風装置７を備えている。また、第一エリア３と第二エリア５のそれぞれには室内の塩素系ガス濃度を計測する第一濃度計８、および第二濃度計９が設置されている。送風装置７は、指令により通風方向を両方向に切り替えできるものである。すなわち、送風装置７の送風方向を第一エリア３から第二エリア５へとする、あるいは、逆に送風方向を第二エリア５から第一エリア３へとすることによって、片方のエリアの塩素系ガス成分を他方のエリアに移動することができる。
【００２９】
第一濃度計８、第二濃度計９によって測定された各エリアの塩素系ガス濃度は、制御手段１０に伝送される。制御手段１０は、入力された塩素系ガス濃度に基づき調整弁４、連通弁６、および送風装置７の動作を制御するものである。
【００３０】
例えば、調整弁４の操作によって、一方のエリアの濃度を意図的に高くして除菌脱臭した後、連通弁６を開き、送風装置７で濃度が高いエリアから濃度が低いエリアへ空気を送ることで、もう片方のエリアの除菌脱臭に塩素系ガスを有効利用することができる。
【００３１】
すなわち、調整弁４によって、第一エリア３側に流入する塩素系ガス量を多くすることによって、まず、第一エリア３内の除菌脱臭を行う。このとき、連通弁６を閉じておく。第一エリア３における塩素系ガス濃度が所定の値以上の状態を所定時間継続したと判断された後、連通弁６を開放し、送風装置７は第一エリア３から第二エリア５に向かって送風するように運転する。このような動作によって、第一エリア３に残った塩素系ガスが第二エリア５に供給されて、第二エリア５の除菌脱臭が行われるのである。
（実施の形態３）
次に、第３の実施の形態として、第一エリア３と第二エリア５における浮遊する菌、ウ
イルスやニオイ成分に対して除菌脱臭効果を高めるための方法について図３を参照しながら説明する。
【００３２】
図３に示す空間除菌脱臭システムは、第２の実施の形態で示した空間除菌脱臭システムに以下の構成を加えたものである。すなわち、第一エリア３側には、第一エリア３と塩素系ガス供給装置１の吸い込み側を接続する循環ダクト１６と、この循環ダクト１６に設けた第一循環弁１１を有している。そして、第二エリア５側には、第二エリア５と塩素系ガス供給装置１の吸い込み側を接続する循環ダクト１７と、この循環ダクト１７に設けた第二循環弁１２を有している。第一循環弁１１、および第二循環弁１２を開くことで、各エリアの空気は塩素系ガス供給装置１へ戻るという構成となっている。
【００３３】
第一濃度計８、第二濃度計９によって測定された各エリアの塩素系ガス濃度は、第２の実施の形態と同様、制御手段１０に伝送される。そして、制御手段１０は、入力された塩素系ガス濃度に基づき調整弁４、連通弁６、送風装置７、および第一循環弁１１、第二循環弁１２の動作を制御するものである。
【００３４】
ここで前記したように塩素系ガス供給装置１は塩素系水溶液とその水溶液の気化装置を有している。各エリアに浮遊していた菌、ウイルスやニオイ成分は、各エリア内の空気と一緒に循環ダクト１６、循環ダクト１７に吸い込まれ、塩素系ガス供給装置１に戻る。塩素系ガス供給装置１に戻ったエリア内の空気は、菌、ウイルス、ニオイ成分とともに塩素系水溶液に浸漬することになる。そのため、芽胞菌などの耐久性の強い菌やニオイ成分を除去することができる。
【００３５】
本実施の形態では、除菌脱臭を行うべきエリアを特定し、そのエリアに対して除菌・脱臭を集中的に行うことができるものである。すなわち、例えば第一エリア３をチェンジオーバーを必要なエリアとすると、制御手段１０は、まず、調整弁４を制御して第一エリア３への塩素系ガス供給量を増加させる。第一エリア３で耐久性の強い芽胞菌などを除去する場合には、連通弁６を閉じ、第一循環弁１１を開いて第一エリア３内の空気を塩素系ガス供給装置１に戻す動作を行う。このような処理により、第一エリア３内は、エリア内に供給された塩素系ガスによって除菌・脱臭されるとともに、第一エリア３内の空気を塩素系ガス供給装置１内で直接塩素系水溶液と接触させることによって除菌・脱臭を行うことができるのである。
（実施の形態４）
次に、第４の実施の形態として、第一エリア３と第二エリア５における塩素系ガス濃度を下げる方法を図４を参照しながら説明する。
【００３６】
第４の実施の形態の空間除菌脱臭システムは、図４に示すように、第３の実施の形態の空間除菌脱臭システムに加え、第一エリア３に第一排気装置１３を設け、第二エリア５に第二排気装置１４を設けたものである。
【００３７】
第一排気装置１３、第二排気装置１４は、送風機を備え、各エリアの空気を排気することができるものである。
【００３８】
第一濃度計８、および第二濃度計９で計測する各エリアの塩素系ガス濃度は、制御手段１０に伝送され、第一排気装置１３、および第二排気装置１４の動作を制御することで、各エリアの塩素系ガス濃度を下げることができる。
【００３９】
ここで芽胞菌などの耐久性の強い菌やニオイ成分を除去する場合は、高濃度の塩素系ガスで時間を掛けて除去する必要がある。例えば、前記した再生医療施設の細胞培養室のチェンジオーバーは、対象エリア内の塩素系ガス濃度を規定値まで高めて一定時間をかけて
行うものである。高濃度の塩素系ガスを含んだ空気は人体への健康影響があるため、除菌操作は、対象エリア内を無人とした状態で実施される。そして、菌を除去した後に対象エリア内に残った塩素系ガスは、一定時間掛けて対象空間から排気される。
【００４０】
本システムを用いて、例えば第一エリア３で細菌、真菌、ウイルス、臭いなどを除去した後に塩素系ガス濃度を下げる場合を説明する。第一エリア３内の細菌、真菌、ウイルス、臭いなどを除去するため、（第１〜３の実施の形態に記載した方法で）塩素系ガス供給装置１、調整弁４、連通弁６、送風装置７などを制御する。第一エリア３内の細菌、真菌、ウイルス、臭いなどを除去できたと判断されると、第一排気装置１３および第二排気装置１４を同時に運転して排気を行う。このとき、第一濃度計８、第二濃度計９の値を監視しながら送風装置７の通風方向を塩素系ガス濃度の低い方向に運転する。この場合、第一エリア３内の塩素ガス濃度が高くなっているので、塩素ガス濃度の低い第二エリア５へ送風するように送風装置７を運転する。従って、第一エリア３からは、第一排気装置１３、および送風装置７による排気が行われ、第一エリア３からの排気風量を大きく確保できる。従って、第一エリア３の塩素ガス濃度を予め定めた濃度まで低下させる時間を短縮することができる。
【００４１】
また、本システムを用いて、例えば第一エリア３、第二エリア５の順で除染作業をへ順次移行する時には、第一濃度計８、第二濃度計９の値を監視しながら送風装置７の通風方向を制御する。すなわち、第一エリア３側を先に高い塩素ガス濃度にして除菌脱臭を行った後、第一エリア３の除染作業を行う。このとき、送風装置７は、塩素系ガス濃度の低い方向、この場合、第二エリア５へ送風することで、第一エリア３の塩素系ガスが有効利用でき、システムの運転効率を高めることができる。この場合、第一エリア３の塩素系ガス濃度は予め定めた濃度まで低下させることになるが、第一濃度計８の値がこの条件を満たした場合には送風装置７、および連通弁６を閉じて、第一エリア３から第二エリア５への空気供給を停止すれば更に効率が良い。
【００４２】
以上述べたようにして、運転効率を高めることを目的とした空間除菌脱臭システムを提供できるものである。
【産業上の利用可能性】
【００４３】
本発明に係る空間除菌脱臭システムは、主に塩素系化合物を含んだ空気を放出して、壁等で仕切られた複数の部屋空間の細菌、真菌、ウイルス、臭いなどの除去をシステムとして有用である。
【符号の説明】
【００４４】
１  塩素系ガス供給装置
２  ダクト
２１  ダクト
２２  分配ダクト
２３  連通ダクト
３  第一エリア
４  調整弁
５  第二エリア
６  連通弁
７  送風装置
８  第一濃度計
９  第二濃度計
１０  制御手段
１１  第一循環弁
１２  第二循環弁
１３  第一排気装置
１４  第二排気装置
１６  循環ダクト
１７  循環ダクト
【図１】
2019115454.tif 000003
【図２】
2019115454.tif 000004
【図３】
2019115454.tif 000005
【図４】
2019115454.tif 000006
【図５】
2019115454.tif 000007